(57)【要約】【課題】本発明は、ユーザに煩雑な操作を強いることなく容易にコンテンツを作成させる。【解決手段】本発明は、ＰＮＤ３から供給されたログデータを基に停止位置を算出し、当該停止位置周辺の周辺ＰＯＩを抽出し、当該周辺ＰＯＩに対応する施設情報を取得した後、当該施設情報を記事フォーム１００に挿入することにより、ユーザに煩雑な操作を強いることなく容易にコンテンツを作成させることができる。【選択図】図１０
2010146173.tif 000002
【特許請求の範囲】
【請求項１】
位置測定装置により測定された位置情報及び当該位置情報に対応付けられた時刻情報からなるログデータを取得するログデータ取得部と、
上記ログデータに基づいて上記位置測定装置が所定時間以上停止していたときの上記位置情報に対応した停止位置を検出する検出部と、
所定の記憶部に記憶された多数の地点候補の中から、上記停止位置の周辺に存在する上記地点候補を周辺地点候補として抽出する抽出部と、
上記周辺地点候補の施設情報を取得する施設情報取得部と、
上記施設情報取得部により取得された上記施設情報を用いてページ構成でなるコンテンツを作成するコンテンツ作成部と
を具えるコンテンツ作成支援装置。
【請求項２】
上記抽出部は、
多数の上記地点候補の中から、上記停止位置の周辺に存在する複数の上周辺記地点候補を抽出し、
上記施設情報取得部は、
複数の上記周辺地点候補のうち、ユーザに選択された特定地点候補の上記施設情報を取得する
請求項１に記載のコンテンツ作成支援装置。
【請求項３】
上記コンテンツ作成支援装置は、
上記ログデータに基づいて、上記位置測定装置が移動した移動経路を算出する算出部と、
上記算出部により算出された上記移動経路、上記検出部により検出された上記停止位置、及び上記抽出部により抽出された上記周辺地点候補を地図画像上に表示する地図表示部と
を具える請求項２に記載のコンテンツ作成支援装置。
【請求項４】
位置測定装置により測定された位置情報及び当該位置情報に対応付けられた時刻情報からなるログデータを取得するログデータ取得ステップと、
上記ログデータに基づいて上記位置測定装置が所定時間以上停止していたときの上記位置情報に対応した停止位置を検出する検出ステップと、
所定の記憶部に記憶された多数の地点候補の中から、上記停止位置の周辺に存在する上記地点候補を周辺地点候補として抽出する抽出ステップと、
上記周辺地点候補の施設情報を取得する施設情報取得ステップと、
上記施設情報を用いてページ構成でなるコンテンツを作成するコンテンツ作成ステップと
を具えるコンテンツ作成支援方法。
【請求項５】
位置測定装置により測定された位置情報及び当該位置情報に対応付けられた時刻情報からなるログデータを取得するログデータ取得ステップと、
上記ログデータに基づいて上記位置測定装置が所定時間以上停止していたときの上記位置情報に対応した停止位置を検出する検出ステップと、
所定の記憶部に記憶された多数の地点候補の中から、上記停止位置の周辺に存在する上記地点候補を周辺地点候補として抽出する抽出ステップと、
上記周辺地点候補の施設情報を取得する施設情報取得ステップと、
上記施設情報を用いてページ構成でなるコンテンツを作成するコンテンツ作成ステップと
をコンピュータに実行させるためのコンテンツ作成支援プログラム。
【発明の詳細な説明】
【技術分野】
【０００１】
本発明は、コンテンツ作成支援装置、コンテンツ作成支援方法及びコンテンツ作成支援プログラムに関し、例えばパーソナルコンピュータに適用して好適なものである。
【背景技術】
【０００２】
近年、ユーザが訪れたレストランやテーマパーク等の施設についてブログ記事を作成してウェブ上に公開したり、当該施設について多数のユーザがレビューを書き込むようになされた情報交換サイトが普及してきている。このようなブログ記事やレビュー等のコンテンツは、パーソナルコンピュータを用いて作成される場合が多い。
【０００３】
例えばパーソナルコンピュータでは、ユーザが訪れた施設を地図画像上から探させたり、当該施設の名称を入力するなどをして検索させたりした後、その施設についてのコンテンツを作成して公開するようになされている。
【０００４】
一方、車両に搭載されたカーナビゲーション装置のなかには、ＧＰＳ（Global Positioning System）ユニットにより測定された緯度経度情報及び時刻情報に基づいて、任意の時刻の位置情報を外部装置に出力するようになされたものがある（例えば、特許文献１参照）。
【特許文献１】特開２００４−２１４８４３公報
【発明の開示】
【発明が解決しようとする課題】
【０００５】
ところで上述したパーソナルコンピュータでは、コンテンツを作成して公開する際、ユーザが訪れた施設を地図画面上から探させたり、当該施設の名称を入力するなどをして検索させたる等の操作を行わせなくてはならず、煩雑な操作をユーザに強いるという問題があった。
【０００６】
本発明は以上の点を考慮してなされたもので、ユーザに煩雑な操作を強いることなく容易にコンテンツを作成させ得るコンテンツ作成支援装置、コンテンツ作成支援方法及びコンテンツ作成支援プログラムを提案しようとするものである。
【課題を解決するための手段】
【０００７】
かかる課題を解決するため本発明のコンテンツ作成支援装置においては、位置測定装置により測定された位置情報及び当該位置情報に対応付けられた時刻情報からなるログデータを取得するログデータ取得部と、ログデータに基づいて位置測定装置が所定時間以上停止していたときの位置情報に対応した停止位置を検出する検出部と、所定の記憶部に記憶された多数の地点候補の中から、停止位置の周辺に存在する地点候補を周辺地点候補として抽出する抽出部と、周辺地点候補の施設情報を取得する施設情報取得部と、施設情報取得部により取得された施設情報を用いてページ構成でなるコンテンツを作成するコンテンツ作成部とを設けるようにした。
【０００８】
これにより、ログデータに基づいて位置測定装置が停止した停止位置の周辺に存在する周辺地点候補に対応する施設情報を用いたコンテンツを作成することができる。
【０００９】
また本発明のコンテンツ作成支援方法及びコンテンツ作成支援プログラムにおいては、位置測定装置により測定された位置情報及び当該位置情報に対応付けられた時刻情報からなるログデータを取得するログデータ取得ステップと、ログデータに基づいて位置測定装置が所定時間以上停止していたときの位置情報に対応した停止位置を検出する検出ステップと、所定の記憶部に記憶された多数の地点候補の中から、停止位置の周辺に存在する地点候補を周辺地点候補として抽出する抽出ステップと、周辺地点候補の施設情報を取得する施設情報取得ステップと、施設情報を用いてページ構成でなるコンテンツを作成するコンテンツ作成ステップとを設けるようにした。
【００１０】
これにより、ログデータに基づいて位置測定装置が停止した停止位置の周辺に存在する周辺地点候補に対応する施設情報を用いたコンテンツを作成することができる。
【発明の効果】
【００１１】
本発明によれば、ログデータに基づいて位置測定装置が停止した停止位置の周辺に存在する周辺地点候補に対応する施設情報を用いたコンテンツを作成することができ、かくしてユーザに煩雑な操作を強いることなく容易にコンテンツを作成させ得るコンテンツ作成支援装置、コンテンツ作成支援方法及びコンテンツ作成支援プログラムを実現できる。
【発明を実施するための最良の形態】
【００１２】
以下、発明を実施するための最良の形態（以下実施形態とする）について説明する。
なお、説明は以下の順序で行う。
１．実施の形態
２．他の実施の形態
【００１３】
＜１．実施の形態＞
［１−１．コンテンツ作成支援システムの構成］
図１に示すように、コンテンツ作成支援システム１は、コンテンツ作成支援装置２、施設情報サーバ４、コンテンツサーバ５が例えばインターネットを介して接続されている。またコンテンツ作成支援システム１では、パーソナルコンピュータ６、７、・・・が施設情報サーバ４、コンテンツサーバ５とインターネットを介して接続されている。
【００１４】
コンテンツ作成支援装置２は、例えばパーソナルコンピュータでなり、例えばＵＳＢ（Universal Serial Bus）ケーブル２Ａを介してＰＮＤ（Personal Navigation System）３が接続されている。そしてコンテンツ作成支援装置２は、ＰＮＤ３により測定されたログデータ（後述する）を取得するようになされている。
【００１５】
またコンテンツ作成支援装置２では、ユーザ操作に応じてブログ記事やレビュー等のコンテンツを作成し、当該コンテンツをコンテンツサーバ５に送信することによりウェブ上に公開し得るようになされている。
【００１６】
施設情報サーバ４は、レストランやテーマパーク等の施設にそれぞれ対応した地図画像、基本情報、関連情報等の施設情報が記憶されており、コンテンツ作成支援装置２の要求に応じて当該施設情報をコンテンツ作成支援装置２へ送信するようになされている。
【００１７】
コンテンツサーバ５は、ブログ記事やレビュー等のページ構成でなるコンテンツのデータ（以下、これをコンテンツデータと呼ぶ）がコンテンツ作成支援装置２から供給された場合、当該コンテンツデータを記憶し、また当該コンテンツデータをインターネットを介して公開するようになされている。
【００１８】
パーソナルコンピュータ６、７、・・・は、施設情報サーバ４及びコンテンツサーバ５に記憶された施設情報及びコンテンツを閲覧し得るようになされている。
【００１９】
［１−２．コンテンツ作成支援装置及びＰＮＤの回路構成］
図２に示すように、コンテンツ作成支援装置２は、ＣＰＵ（Central Processing Unit）２１がＲＯＭ（Read Only Memory）２２に格納された基本プログラムをＲＡＭ（Random Access Memory）２３に展開し、当該基本プログラムに従って全体を統括制御する。またＣＰＵ２１は、ＲＯＭ２２やハードディスクドライブ（以下、ＨＤＤ（Hard Disk Drive）と呼ぶ）２７に格納された各種アプリケーションプログラムをＲＡＭ２３に展開し、当該各種アプリケーションプログラムに従って各種処理を実行するようになされている。
【００２０】
コンテンツ作成支援装置２は、ネットワークインターフェース２４を介して施設情報サーバ４及びコンテンツサーバ５と接続されている。そしてコンテンツ作成支援装置２は、キーボードやマウス等からなる入力部２５に対するユーザ操作に応じて、施設情報サーバ４及びコンテンツサーバ５から取得した施設情報やコンテンツをディスプレイ２６に表示し得るようになされている。
【００２１】
またコンテンツ作成支援装置２は、ＵＳＢインターフェース２８が設けられており、当該ＵＳＢインターフェース２８及びＵＳＢケーブル２Ａを介してＰＮＤ３と接続するようになされている。
【００２２】
一方、ＰＮＤ３は、ＣＰＵ３１が不揮発性メモリ３２から読み出してＲＡＭ３３に起動した基本プログラムに従い、全体を統括制御するようになされている。またＣＰＵ３１は、不揮発性メモリ３２に格納された各種アプリケーションプログラムをＲＡＭ３３に展開し、当該各種アプリケーションプログラムに従って各種処理を実行するようになされている。
【００２３】
ＰＮＤ３は、ＵＳＢインターフェース３４が設けられており、当該ＵＳＢインターフェース３４及びＵＳＢケーブル２Ａを介してコンテンツ作成支援装置２と接続するようになされている。
【００２４】
またＰＮＤ３には、ＧＰＳユニット３６が設けられている。このＧＰＳユニット３６は、複数のＧＰＳ衛星からのそれぞれ衛星信号を受信して復調することにより得られる軌道データと、複数のＧＰＳ衛星から車両までの距離データとに基づいて車両の現在位置を正確に測位する。そしてＧＰＳユニット３６は、測位することにより得られた緯度経度情報と、衛星信号に含まれる時刻情報とからなるＧＰＳ情報をＣＰＵ３１へ送出する。
【００２５】
ＣＰＵ３１は、ＧＰＳ情報を基に車両の現在位置が含まれる周辺の地図データを不揮発性メモリ３２から読み出し、その現在位置が含まれる地図画像を生成した後、ディスプレイ３５のＬＣＤ（Liquid Crystal Display）３５Ａへ出力することにより当該地図画像を表示するようになされている。
【００２６】
ＧＰＳユニット３６は、ＧＰＳ情報を所定間隔ごとに取得するようなされており、取得する度に当該ＧＰＳ情報をＣＰＵ３１へ送出する。そしてＣＰＵ３１は、ＧＰＳユニット３６からＧＰＳ情報が供給される度に不揮発性メモリ３２へ送出することにより、不揮発性メモリ３２に保存されたログデータに当該ＧＰＳ情報を書き込む。従ってログデータには、多数のＧＰＳ情報が記録される。
【００２７】
ところで不揮発性メモリ３２には、例えばレストランや行楽施設等の地点候補を表すＰＯＩ（Point Of Interest）が地図データに対応付けられた状態で登録されている。このＰＯＩを構成する要素としては、名称、緯度経度、住所、ジャンル、電話番号等が挙げられる。
【００２８】
ＣＰＵ３１は、タッチパネル３５Ｂのタッチ操作に応じて、目的地として任意のＰＯＩが選択された場合、自車位置から当該ＰＯＩに対応した目的地までの到達経路等を探索し、その到達経路を表したナビゲーション地図画像をＬＣＤ３５Ａに表示する。
【００２９】
このときＣＰＵ３１は、到達経路が表されたナビゲーション地図画像をＬＣＤ３５Ａに表示すると共に、車両が到達経路に従って目的地まで走行する間、ユーザの運転を誘導及び補助（以下、これらをナビゲートと呼ぶ）するための音声情報を生成し、当該音声情報をナビゲート音声としてスピーカ（図示せず）から出力する。
【００３０】
このようにしてＰＮＤ３では、ユーザ所望の目的地まで車両をナビゲートするナビゲーション機能を提供し得るようになされている。
【００３１】
［１−３．施設情報サーバの回路構成］
図３に示すように施設情報サーバ４は、ＣＰＵ４１がＲＯＭ４２から読み出してＲＡＭ４３に起動した基本プログラムに従い全体を統括制御する。またＣＰＵ４１は、ＲＯＭ４２及びＨＤＤ４４から読み出してＲＡＭ４３に起動した各種アプリケーションプログラムに従って種々の処理を実現し得るようになされている。
【００３２】
施設情報サーバ４は、多数のＰＯＩにそれぞれ対応した地図画像、写真、基本情報及び関連情報等の施設情報がＨＤＤ４４に保存されている。施設情報サーバ４のＣＰＵ４１は、例えばコンテンツ作成支援装置２から所定のＰＯＩの施設情報を要求する旨のリクエストメッセージをネットワークインターフェース４５を介して受信すると、当該リクエストメッセージに対応したＰＯＩの施設情報をそのコンテンツ作成支援装置２へ送信するようになされている。
【００３３】
［１−４．コンテンツサーバの回路構成］
コンテンツサーバ５（図３）は、施設情報サーバ４と共通の基本構成を有し、ＣＰＵ５１がＲＯＭ５２から読み出してＲＡＭ５３に起動した基本プログラムに従い全体を統括制御する。またＣＰＵ５１は、ＲＯＭ５２又はＨＤＤ５４から読み出してＲＡＭ５３に起動した各種アプリケーションプログラムに従って種々の処理を実現し得るようになされている。
【００３４】
コンテンツサーバ５のＣＰＵ５１は、コンテンツ作成支援装置２からネットワークインターフェース５５を介してコンテンツデータを受信すると、当該コンテンツデータをＨＤＤ５４に保存するようになされている。
【００３５】
コンテンツサーバ５は、パーソナルコンピュータ６、７、・・・から所定のコンテンツデータを取得するためのリクエストメッセージを受信すると、当該パーソナルコンピュータ６、７、・・・へリクエストメッセージに対応したコンテンツデータを送信するようになされている。
【００３６】
［１−５．コンテンツ作成支援処理］
次に、ユーザが例えばブログ記事やレビュー等のコンテンツを作成する際のコンテンツ作成支援処理について詳しく説明する。
【００３７】
ＰＮＤ３のＣＰＵ３１は、タッチパネル３５Ｂのタッチ操作に応じて、目的地として任意のＰＯＩが選択された場合、自車位置から当該ＰＯＩに対応した目的地まで車両が走行している間に取得したＧＰＳ情報をログデータに記録する。またＣＰＵ３１は、目的地として設定されたＰＯＩを目的地ＰＯＩとして不揮発性メモリ３２へ記憶する。
【００３８】
一方、コンテンツ作成支援装置２のＣＰＵ２１は、ＵＳＢケーブル２Ａを介してＰＮＤ３が接続され、コンテンツを作成する操作が入力部２５を介してユーザにより行われた場合、ＰＮＤ３に対してログデータ及び目的地ＰＯＩを要求する。
【００３９】
このときＰＮＤ３のＣＰＵ３１は、不揮発性メモリ３２からログデータ及び目的地ＰＯＩを読み出し、コンテンツ作成支援装置２へ送信する。コンテンツ作成支援装置２のＣＰＵ２１は、ＰＮＤ３から供給されたログデータ及び目的地ＰＯＩをＨＤＤ２７へ記憶する。
【００４０】
そしてＣＰＵ２１は、ＨＤＤ２７へ記憶したログデータの緯度経度情報を基に、車両が走行した経路（以下、これを走行経路と呼ぶ）を算出する。またＣＰＵ２１は、図４に示すように、予めＨＤＤ２７に記憶された地図データを読み出し、走行経路ＴＲの周辺の地図画像ＭＰを生成した後、当該地図画像ＭＰに当該走行経路ＴＲが重ねられた走行地図画像ＭＰ１をディスプレイ２６に表示する。
【００４１】
このときＣＰＵ２１は、ログデータを基に車両が例えば１５分以上停止していた位置（以下、これを停止位置と呼ぶ）を検出し、当該停止位置が示された「Ａ」の停止位置アイコンＳＩ１及び「Ｂ」の停止位置アイコンＳＩ２を走行地図画像ＭＰ１に表示する。
【００４２】
このようにしてコンテンツ作成支援装置２は、ＰＮＤ３から供給されたログデータに基づいて走行地図画像ＭＰ１をディスプレイ２６に表示することにより、ユーザに走行経路及び車両の停止位置を目視確認させ得るようになされている。
【００４３】
因みにＣＰＵ２１は、ログデータを基に検出した停止位置とＨＤＤ２７に記憶した目的地ＰＯＩとの位置関係を比較し、例えば停止位置から半径１００［ｍ］以内に目的地ＰＯＩがあった場合、当該停止位置を目的地ＰＯＩに関連付けるようになされている。
【００４４】
ＣＰＵ２１は、走行地図画像ＭＰ１をディスプレイ２６に表示している状態で、入力部２５を介して例えば停止位置アイコンＳＩ２が選択されると、当該停止位置アイコンＳＩ２の例えば半径１００［ｍ］以内に存在するＰＯＩを検索する。
【００４５】
具体的には、ＣＰＵ２１は、ログデータから得られる停止位置アイコンＳＩ２に対応した停止位置の緯度経度情報と、ＨＤＤ２７に予め登録された多数のＰＯＩの緯度経度情報とに基づいて、停止位置アイコンＳＩ２に対応する停止位置と多数のＰＯＩとの距離をそれぞれ算出する。そしてＣＰＵ２１は、当該算出した距離が１００［ｍ］以内であった場合、当該ＰＯＩを周辺ＰＯＩとして抽出する。
【００４６】
このときＣＰＵ２１は、停止位置アイコンＳＩ２に対応した停止位置に対して１００［ｍ］以内のＰＯＩをすべて周辺ＰＯＩとして抽出するのではなく、予め定められた優先順位に基づいて算出されたＰＯＩの中から例えば３つのＰＯＩを周辺ＰＯＩとして抽出する。
【００４７】
具体的には、ＣＰＵ２１は、抽出されたＰＯＩが例えば駐車場であった場合、その駐車場についてユーザがコンテンツを作成する可能性が低いので、そのＰＯＩを周辺ＰＯＩから除外する。またＣＰＵ２１は、抽出されたＰＯＩが駐車場であり、かつその駐車場が他のＰＯＩと提携されていた場合、ユーザがその駐車場と提携されている施設を訪れた可能性が高いので、その提携されている施設のＰＯＩを周辺ＰＯＩとして抽出する。
【００４８】
そしてＣＰＵ２１は、図５に示すように、地図画像ＭＰに、停止位置アイコンＳＩ２を中心とした半径１００［ｍ］の周辺円ＣＲと、検索結果の周辺ＰＯＩの位置を示すＰＯＩポイントＮＰ１、ＮＰ２及びＮＰ３とが重ねられた走行地図画像ＭＰ２をディスプレイ２６に表示する。
【００４９】
これと共にＣＰＵ２１は、図６に示すように、コンテンツのフォーマットが示された記事フォーム１００をＨＤＤ２７から読み出してディスプレイ２６に表示する。
【００５０】
この記事フォーム１００には、プルダウンメニュー１０１、地図挿入欄１０２、タイトル入力欄１０３、レーティング入力欄１０４、記事入力欄１０５、送信ボタン１０６、関連情報挿入欄１０７、基本情報挿入欄１０８及び写真挿入欄１０９が設けられている。
【００５１】
プルダウンメニュー１０１は、選択表示欄１０１Ａ及びプルダウンボタン１０１Ｂが設けられており、ユーザに周辺ＰＯＩをプルダウン形式で選択させるようになされている。
【００５２】
ＣＰＵ２１は、図７に示すように、カーソルＣＳによりプルダウンボタン１０１Ｂが選択されると、走行地図画像ＭＰ２に表示された周辺ＰＯＩポイントＮＰ１、ＮＰ２及びＮＰ３にそれぞれ対応する周辺ＰＯＩの名称（以下、これを周辺ＰＯＩ名称と呼ぶ）１１１、１１２及び１１３を選択表示欄１０１Ａの下方にプルダウンリスト１１０としてリスト表示する。
【００５３】
そしてＣＰＵ２１は、周辺ＰＯＩ名称１１１、１１２及び１１３の中から例えば周辺ＰＯＩ名称１１１がユーザによって選択されると、当該周辺ＰＯＩ名称１１１である「○○レストラン」を選択表示欄１０１Ａに表示する。
【００５４】
このときＣＰＵ２１は、ユーザに選択された周辺ＰＯＩ名称１１１に対応した周辺ＰＯＩの施設情報を取得するためのリクエストメッセージを施設情報サーバ４へ送信する。
【００５５】
施設情報サーバ４のＣＰＵ４１は、コンテンツ作成支援装置２から供給されたリクエストメッセージに対応した周辺ＰＯＩの地図画像、写真、基本情報、関連情報等の施設情報をＨＤＤ４４から読み出し、当該施設情報をコンテンツ作成支援装置２へ送信する。
【００５６】
因みに基本情報は、ＰＯＩの住所、電話番号、営業時間等である。また関連情報は、ＰＯＩのジャンルや検索条件等を表したタグ情報である。
【００５７】
コンテンツ作成支援装置２のＣＰＵ２１は、図８に示すように、施設情報サーバ４から供給された施設情報の地図画像を記事フォーム１００の地図挿入欄１０２に挿入する。またＣＰＵ２１は、施設情報サーバ４から供給された施設情報の基本情報、関連情報、写真をそれぞれ記事フォーム１００の基本情報挿入欄１０８、関連情報挿入欄１０７、及び写真挿入欄１０９に挿入する。
【００５８】
さらにＣＰＵ２１は、タイトル入力欄１０４及び記事入力欄１０５を空白にすると共に、レーティング入力欄１０４に白抜きの星を例えば５つ並べて表示する。
【００５９】
ＣＰＵ２１は、図９に示すように、タイトル入力欄１０４及び記事入力欄１０５にタイトル及び記事がユーザにより入力され、またレーティング入力欄１０４の白抜きの星をカーソルＣＳ等で選択させることにより評価が入力される。
【００６０】
そしてＣＰＵ２１は、カーソルＣＳにより送信ボタン１０６が選択されると、記事フォーム１００に対応したコンテンツデータをコンテンツサーバ５へ送信する。
【００６１】
コンテンツサーバ５は、コンテンツ作成支援装置２から供給されたコンテンツデータをウェブ上に公開することにより、例えばインターネットを介して多数のユーザにコンテンツデータを取得させ、当該コンテンツデータに対応したコンテンツを閲覧させ得るようになされている。
【００６２】
因みにパーソナルコンピュータ６、７、・・・は、コンテンツサーバ５から取得したコンテンツデータに緯度経度情報が挿入されていれば、当該コンテンツデータを例えばＰＮＤに送信することにより、当該ＰＮＤにそのコンテンツデータに基づく施設をＰＯＩとして登録させ得るようになされている。
【００６３】
［１−６．コンテンツ作成支援処理手順］
次に、上述したコンテンツ作成支援処理の手順について図１０に示すシーケンスチャートを用いて詳しく説明する。
【００６４】
ＰＮＤ３のＣＰＵ３１は、ステップＳＰ１において、車両が走行している間にＧＰＳユニット３６により取得したＧＰＳ情報を、当該ＧＰＳユニット３６から供給される度にログデータに記録し、次のステップＳＰ２へ移る。
【００６５】
ステップＳＰ２においてＣＰＵ３１は、ＵＳＢケーブル２Ａを介してコンテンツ作成支援装置２と接続され、当該コンテンツ作成支援装置２からログデータ及び目的地ＰＯＩを取得する要求があった場合、不揮発性メモリ３２からログデータ及び目的地ＰＯＩを読み出してコンテンツ作成支援装置２へ送信し、次のステップへ移って処理を終了する。
【００６６】
一方、ステップＳＰ１１においてコンテンツ作成支援装置２のＣＰＵ２１は、ＰＮＤ３からログデータ及び目的地ＰＯＩが供給されると、当該ログデータ及び目的地ＰＯＩをＨＤＤ２７へ記憶し、次のステップＳＰ１２へ移る。
【００６７】
ステップＳＰ１２においてＣＰＵ２１は、ログデータを基に１５分以上、車両が停止していた停止位置を検出し、次のステップＳＰ１３へ移る。
【００６８】
ステップＳＰ１３においてＣＰＵ２１は、ステップＳＰ１２において検出した停止位置の中で半径１００［ｍ］以内に目的地ＰＯＩがあった場合、当該停止位置を目的地ＰＯＩに関連付け、次のステップＳＰ１４へ移る。
【００６９】
ステップＳＰ１４においてＣＰＵ２１は、走行経路ＴＲと停止位置が示された停止位置アイコンＳＩ１及びＳＩ２とが付された走行地図画像ＭＰ１（図４）をディスプレイ２６に表示し、次のステップＳＰ１５へ移る。
【００７０】
ステップＳＰ１５においてＣＰＵ２１は、走行地図画像ＭＰ１に表示された停止位置アイコンＳＩ１及びＳＩ２のうち、例えば停止位置アイコンＳＩ２がユーザにより選択される。そのときＣＰＵ２１は、停止位置アイコンＳＩ２に対応した停止位置から例えば半径１００［ｍ］以内に存在するＰＯＩを検索する。
【００７１】
そしてＣＰＵ２１は、停止位置アイコンＳＩ２を中心とした半径１００［ｍ］の周辺円ＣＲと、検索結果の周辺ＰＯＩの位置が示された周辺ＰＯＩポイントＮＰ１、ＮＰ２及びＮＰ３とを重層した走行地図画像ＭＰ２（図５）をディスプレイ２６に表示し、次のステップＳＰ１６へ移る。
【００７２】
ステップＳＰ１６においてＣＰＵ２１は、コンテンツのフォーマットである記事フォーム１００（図６）をディスプレイ２６に表示し、次のステップＳＰ１７へ移る。
【００７３】
ステップＳＰ１７においてＣＰＵ２１は、記事フォーム１００におけるプルダウンメニュー１０１のプルダウンボタン１０１ＢがカーソルＣＳにより選択され（図７）、プルダウンリスト１１０から例えば周辺ＰＯＩ名称１１１が選択される。このときＣＰＵ２１は、ユーザに選択された周辺ＰＯＩ名称１１１に対応した周辺ＰＯＩの施設情報を取得するためのリクエストメッセージを施設情報サーバ４へ送信する。
【００７４】
施設情報サーバ４のＣＰＵ４１は、ステップＳＰ２１において、コンテンツ作成支援装置２からリクエストメッセージを受信すると、当該リクエストメッセージに基づいた周辺ＰＯＩの施設情報をＨＤＤ４４から読み出す。そしてＣＰＵ４１は、この施設情報をコンテンツ作成支援装置２へ送信し、次のステップに移って処理を終了する。
【００７５】
一方、コンテンツ作成支援装置２のＣＰＵ２１は、ステップＳＰ１７においてリクエストメッセージを施設情報サーバ４へ送信すると、ステップＳＰ１８へ移る。ステップＳＰ１８においてＣＰＵ２１は、施設情報サーバ４から供給された施設情報を受信すると、記事フォーム１００内に当該施設情報の地図画像、基本情報、関連情報、写真等を挿入し（図８）、次のステップＳＰ１９へ移る。
【００７６】
ステップＳＰ１９においてＣＰＵ２１は、ユーザにより記事フォーム１００のタイトル入力欄１０３及び記事入力欄１０５にタイトル及び記事がユーザにより入力され、またレーティング入力欄１０４の白抜きの星をカーソルＣＳ等で選択させることにより評価が入力される（図９）。
【００７７】
そしてＣＰＵ２１は、記事フォーム１００の送信ボタン１０６が選択されると、記事フォーム１００（図９）に対応したコンテンツデータをコンテンツサーバ５へ送信し、次のステップに移って処理を終了する。
【００７８】
コンテンツサーバ５のＣＰＵ５１は、コンテンツ作成支援装置２から供給されたコンテンツデータを受信すると、ウェブ上に当該コンテンツデータを公開し、次のステップに移って処理を終了する。
【００７９】
［１−７．動作及び効果］
以上の構成においてコンテンツ作成支援装置２は、ユーザによりコンテンツを作成する操作が行われると、ＰＮＤ３のＧＰＳユニット３６により取得した緯度経度情報及び時刻情報が示されたログデータを当該ＰＮＤ３から受信する。
【００８０】
そしてコンテンツ作成支援装置２は、ＰＮＤ３から供給されたログデータを基に、車両が例えば１５分以上停止していた停止位置を算出する。またコンテンツ作成支援装置２は、当該停止位置が示された停止位置アイコンＳＩ１、ＳＩ２を走行経路ＴＲと共に地図画像ＭＰ上に付した走行地図画像ＭＰ１（図４）をディスプレイ２６に表示する。
【００８１】
そしてコンテンツ作成支援装置２は、ユーザに選択された例えば停止位置アイコンＳＩ２の周辺の複数の周辺ＰＯＩを抽出した後、ユーザに選択された周辺ＰＯＩの施設情報を施設情報サーバ４から取得する。
【００８２】
続いてコンテンツ作成支援装置２は、記事フォーム１００内に施設情報の地図画像、基本情報、関連情報、写真等を挿入し（図８）、ユーザにタイトル、レーティング及び記事が入力させた記事フォーム１００（図９）に対応したコンテンツデータをコンテンツサーバ５に送信することによりウェブ上に公開する。
【００８３】
このようにコンテンツ作成支援装置２は、ユーザにコンテンツを作成させる際、停止位置アイコンＳＩ１及びＳＩ２のいずれかを選択させ、当該選択させた例えば停止位置アイコンＳＩ２の周辺ＰＯＩのいずれかを選択させる。従ってコンテンツ作成支援装置２は、ユーザに２回だけの選択操作を行わせるだけで、ユーザが選択した周辺ＰＯＩに対応する地図画像、基本情報、関連情報、写真等の施設情報を記事フォーム１００内に挿入することができる。
【００８４】
これによりコンテンツ作成支援装置２は、ユーザに２回だけの選択操作を行わせた後、記事フォーム１００にタイトル、レーティング及び記事内容を入力させるだけで、コンテンツを完成させることができる。かくしてコンテンツ作成支援装置２は、ユーザに煩雑な操作を強いることなく容易にコンテンツを作成させることができる。
【００８５】
またコンテンツ作成支援装置２は、停止位置アイコンＳＩ２に対応した停止位置に対して１００［ｍ］以内のＰＯＩを予め定められた優先順位に基づいて例えば３つの周辺ＰＯＩを抽出し、記事フォーム１００のプルダウンリスト１１０にリスト表示する。
【００８６】
これによりコンテンツ作成支援装置２は、ユーザにコンテンツを作成させる際、当該ユーザがコンテンツを作成すると思われる優先順位の高い周辺ＰＯＩの中から選択させることができる。
【００８７】
コンテンツ作成支援装置２は、コンテンツをユーザに作成させる際、走行地図画像ＭＰ１及びＭＰ２を記事フォーム１００と共にディスプレイ２６に表示する。これによりコンテンツ作成支援装置２は、ユーザがコンテンツを作成したい施設の名称を忘れたときでも、その周辺ＰＯＩの位置を目視確認させることができる。
【００８８】
以上の構成によればコンテンツ作成支援装置２は、ＰＮＤ３から供給されたログデータを基に停止位置を算出し、当該停止位置周辺の周辺ＰＯＩを抽出し、当該周辺ＰＯＩに対応する施設情報を取得した後、当該施設情報を記事フォーム１００に挿入する。これにより、コンテンツ作成支援装置２は、ユーザに煩雑な操作を強いることなく容易にコンテンツを作成させることができる。
【００８９】
＜２．他の実施の形態＞
なお上述した実施の形態においては、走行地図画像ＭＰ１をディスプレイ２６に表示した状態で、例えば停止位置アイコンＳＩ２が選択されると、走行地図画像ＭＰ２及び記事フォーム１００（図６）を表示するようにした場合について述べた。しかしながら本発明はこれに限らず、ＰＣＵ２１は、例えば停止位置アイコンＳＩ２が選択されると、図１１に示すような走行地図画像ＭＰ３をディスプレイ２６に表示するようにしても良い。この走行地図画像ＭＰ３は、停止位置アイコンＳＩ２の周辺にある周辺ＰＯＩポイントＮＰ１、ＮＰ２及びＮＰ３に対して、それぞれの周辺ＰＯＩ名称が入力された吹き出しアイコンＰＵ１、ＰＵ２及びＰＵ３が表示されている。
【００９０】
そしてＣＰＵ２１は、例えば吹き出しアイコンＰＵ１が選択された場合、当該選択された吹き出しアイコンＰＵ１に対応する周辺ＰＯＩの施設情報を施設情報サーバ４から取得し、当該施設情報の地図画像、写真、基本情報、関連情報を記事フォーム１００内に挿入して表示する（図９）。これによりコンテンツ作成支援装置２は、ユーザに地図画像ＭＰ上の周辺ＰＯＩの位置及び名称を一度で共に目視確認させることができる。
【００９１】
また上述した実施の形態においては、例えば停止位置アイコンＳＩ２の周辺に存在する周辺ＰＯＩとして抽出する際、予め定められた優先順位に基づいて算出されたＰＯＩの中から３つのＰＯＩを周辺ＰＯＩとして抽出するようにした場合について述べた。
【００９２】
しかしながら本発明はこれに限らず、コンテンツ作成支援装置２のＣＰＵ２１は、例えば停止位置アイコンＳＩ２とＰＯＩとの距離が短い順に優先順位を付け、当該優先順位の高いＰＯＩを周辺ＰＯＩとして抽出するようにしてもよい。
【００９３】
さらに上述した実施の形態においては、例えば停止位置アイコンＳＩ２の周辺に存在する周辺ＰＯＩとして抽出する際、抽出されたＰＯＩの中から３つのＰＯＩを周辺ＰＯＩとして抽出するようにした場合について述べた。
【００９４】
しかしながら本発明はこれに限らず、コンテンツ作成支援装置２のＣＰＵ２１は、抽出された全てのＰＯＩを周辺ＰＯＩとして抽出するようにしてもよく、また抽出されたＰＯＩの中から例えば１つのＰＯＩを周辺ＰＯＩとして抽出するようにしてもよく、その数は問わない。
【００９５】
さらに上述した実施の形態においては、例えば停止位置アイコンＳＩ２の周辺に存在する周辺ＰＯＩとして抽出する際、半径１００［ｍ］以内に存在するＰＯＩを検索するようにした場合について述べた。
【００９６】
しかしながら本発明はこれに限らず、コンテンツ作成支援装置２のＣＰＵ２１は、例えば停止位置の周辺に存在する周辺ＰＯＩとして抽出する際、半径５０［ｍ］や２００［ｍ］などの中に存在するＰＯＩを検索するようにしてもよい。またコンテンツ作成支援装置２のＣＰＵ２１は、道路に対して停止位置側から周辺ＰＯＩを抽出するようにしても良い。
【００９７】
さらに上述した実施の形態においては、地図データがコンテンツ作成支援装置２のＨＤＤ２７に記憶されているようにした場合について述べた。しかしながら本発明はこれに限らず、例えば外部のネットワークサーバに地図データが記憶されており、コンテンツ作成支援装置２のＣＰＵ２１は、走行地図画像ＭＰ１をディスプレイ２６に表示する際、そのネットワークサーバから地図データを取得して表示するようにしても良い。
【００９８】
さらに上述した実施の形態においては、ＰＯＩがコンテンツ作成支援装置２のＨＤＤ２７に記憶されているようにした場合について述べた。しかしながら本発明はこれに限らず、例えば外部のネットワークサーバにＰＯＩが記憶されており、コンテンツ作成支援装置２のＣＰＵ２１は、停止位置周辺の周辺ＰＯＩを抽出する際、ネットワークサーバに記憶されたＰＯＩの中から周辺ＰＯＩを抽出するようにしても良い。
【００９９】
さらに上述した実施の形態においては、施設情報を施設情報サーバ４に保存され、コンテンツデータがコンテンツサーバ５に保存されているようにした場合について述べた。しかしながら本発明はこれに限らず、施設情報及びコンテンツデータが同一のネットワークサーバに保存されるようにしても良い。
【０１００】
さらに上述した実施の形態においては、コンテンツ作成支援装置２のＣＰＵ２１が、予めＲＯＭ２２又はＨＤＤ２７に格納されているアプリケーションプログラムに従い、上述したコンテンツ作成支援処理手順を行うようにした場合について述べた。しかしながら本発明はこれに限らず、コンテンツ作成支援装置２のＣＰＵ２１が、記憶媒体からインストールしたアプリケーションプログラムや、インターネットからダウンロードしたアプリケーションプログラム、その他種々のルートによってインストールしたアプリケーションプログラムに従って上述したコンテンツ作成支援処理手順を行うようにしても良い。
【０１０１】
さらに上述した実施の形態においては、ログデータ取得部としてネットワークインターフェース部２４、検出部としてＣＰＵ２１、抽出部としてＣＰＵ２１、施設情報取得部としてＣＰＵ２１、コンテンツ作成部としてＣＰＵ２１によって本発明のコンテンツ作成支援装置としてのコンテンツ作成支援装置２を構成するようにした場合について述べた。しかしながら本発明はこれに限らず、この他種々の構成でなるログデータ取得部、算出部、抽出部、各種情報取得部、挿入部によって本発明のコンテンツ作成支援装置を構成するようにしても良い。
【産業上の利用可能性】
【０１０２】
本発明のコンテンツ作成支援装置は、例えばパーソナルコンピュータ以外でもＰＤＡ（Personal Digital Assistant）、携帯電話機、ノート型パーソナルコンピュータ等のその他種々に実装された電子機器に適用することができる。
【図面の簡単な説明】
【０１０３】
【図１】コンテンツ作成支援システムの構成を示す略線図である。
【図２】コンテンツ作成支援装置及びＰＮＤの回路構成を示す略線図である。
【図３】関連情報サーバ及びコンテンツサーバの回路構成を示す略線図である。
【図４】走行地図画像の構成（１）を示す略線図である。
【図５】走行地図画像の構成（２）を示す略線図である。
【図６】記事フォームの構成（１）を示す略線図である。
【図７】記事フォームの構成（２）を示す略線図である。
【図８】記事フォームの構成（３）を示す略線図である。
【図９】記事フォームの構成（４）を示す略線図である。
【図１０】コンテンツ作成支援処理手順の説明に供するシーケンスチャートである。
【図１１】他の実施の形態における走行地図画像の構成を示す略線図である。
【符号の説明】
【０１０４】
１……コンテンツ作成支援システム、２……コンテンツ作成支援装置、３……ＰＮＤ、４……関連情報サーバ、５……コンテンツサーバ、６、７……パーソナルコンピュータ、２１、３１、４１、５１……ＣＰＵ、２２、４２、５２……ＲＯＭ、２３、３３、４４、５４……ＲＡＭ、２４、４５、５５……ネットワークインターフェース、２５……入力部、２６、３５……ディスプレイ、２７、４４、５４……ＨＤＤ、２８、３４……ＵＳＢインターフェース、３２……不揮発性メモリ、３６……ＧＰＳユニット。
【図１】
2010146173.tif 000003
【図２】
2010146173.tif 000004
【図３】
2010146173.tif 000005
【図４】
2010146173.tif 000006
【図５】
2010146173.tif 000007
【図６】
2010146173.tif 000008
【図７】
2010146173.tif 000009
【図８】
2010146173.tif 000010
【図９】
2010146173.tif 000011
【図１０】
2010146173.tif 000012
【図１１】
2010146173.tif 000013